(57)【特許請求の範囲】
【請求項１】
所定の光を発する光源部と、
所定のパネル開口部が設けられたパネルと、
前記パネル開口部に設けられ、前記光源部の発した光に照らされた対象物によって反射された光を透過する開口部を有するスイッチ部材と、
対象物によって反射された光を受光して対象物の光学的イメージを検出するイメージセンサ部と
を備え、
前記スイッチ部材の前記開口部には透光部材が嵌め込まれ、
前記光源部、前記スイッチ部材および前記イメージセンサ部の位置関係は保たれ、
前記スイッチ部材のスイッチ動作時には、前記スイッチ部材とともに前記透光部材、前記光源部および前記イメージセンサ部が移動する、ポインティングデバイス装置。
【請求項２】
所定の光を発する光源部と、
所定のパネル開口部が設けられたパネルと、
前記パネル開口部に設けられ、前記光源部の発した光に照らされた対象物によって反射された光を透過するスイッチ部と、
対象物によって反射された光を受光して対象物の光学的イメージを検出するイメージセンサ部と
を備え、
前記光源部、前記スイッチ部および前記イメージセンサ部の位置関係は保たれ、
前記スイッチ部のスイッチ動作時には、前記スイッチ部とともに前記光源部および前記イメージセンサ部が移動する、ポインティングデバイス装置。
【発明の詳細な説明】
【技術分野】
【０００１】
本発明は、ポインティングデバイス装置に関し、特に、指先による操作性に優れたポインティングデバイス装置に関するものである。
【背景技術】
【０００２】
従来の携帯機器の一例として、特許文献１に記載された携帯電話機について説明する。図２０に示すように、携帯電話機の正面にはスピーカ１０２、ＬＣＤ（Liquid Crystal Display）１０３、特定機能キー１０４、トラックボール１０５およびマイク１０６が配置されている。また、携帯電話機の上部にはアンテナ１０１が設けられている。
【０００３】
特に、トラックボール１０５は上下左右４方向に回転可能である。ＬＣＤ１０３には複数の項目（メニュー）が表示される。複数の項目の中から必要とする項目は、トラックボール１０５を４方向に適当に回転させてポインタをその項目に合わせて、他の選択キー（図示せず）を押すことで選択される。これにより、その項目に対応した内容が実行される。
【特許文献１】特開平１１−３２１１３号公報
【発明の開示】
【発明が解決しようとする課題】
【０００４】
しかしながら、上述した携帯電話機では以下のような問題があった。トラックボール１０５の４方向の回転動作により、ＬＣＤ１０３に表示された複数の項目に対して自由にポインタを合わせることは容易である。ところが、上記のように、ポインタが合わせられた項目を選択するには、他の選択キーを押す必要があり、操作性に優れないという問題があった。
【０００５】
また、トラックボール１０５では、回転動作のためにある程度の大きさが必要とされ携帯電話機の小型化を阻害する要因となっていた。さらに、トラックボールにはゴミなどが入り込みやすく、入り込んだゴミによってポインタの移動が良好に行われなくなる問題があった。
【０００６】
本発明は上記問題点を解決するためになされたものであり、操作性に優れるとともに小型化を図ることができ塵埃に強いポインティングデバイス装置を提供することである。
【課題を解決するための手段】
【０００７】
本発明に係るポインティングデバイス装置は、光源部とパネルとスイッチ部材とイメージセンサ部とを備えている。光源部は所定の光を発する。パネルには所定のパネル開口部が設けられている。スイッチ部材はパネル開口部に設けられ、光源部の発した光に照らされた対象物によって反射された光を透過する開口部を有する。イメージセンサ部は対象物によって反射された光を受光して対象物の光学的イメージを検出する。スイッチ部材の開口部には透光部材が嵌め込まれている。スイッチ部材のスイッチ動作時には、スイッチ部材とともに透光部材が移動する。
【０００８】
本発明に係る電子機器は、光源部とパネルとスイッチ部材とイメージセンサ部と表示部と制御部とを備えている。光源部は所定の光を発する。パネルには所定のパネル開口部が設けられている。スイッチ部材はパネル開口部に設けられ、光源部の発した光に照らされた対象物によって反射された光を透過する開口部を有する。イメージセンサ部は対象物によって反射された光を受光して対象物の光学的イメージを検出する。表示部はポインタを表示する。制御部は対象物の光学的イメージから対象物の移動量を算出し、算出された移動量に基づいて表示部の表示するポインタを移動させる。スイッチ部材の開口部には透光部材が嵌め込まれている。スイッチ部材のスイッチ動作時には、スイッチ部材とともに透光部材が移動する。制御部は、スイッチ部材の移動に基づいて表示部のポインタが指し示す情報を確定させる。
【発明の効果】
【０００９】
本発明に係るポインティングデバイス装置によれば、スイッチ部材に設けられた開口部に指を接触させるだけで、光源部から発せられた光に照らされた指によって反射した光がイメージセンサ部によって受光されて指の光学的イメージが読み取られる。しかも、反射された光を透過する開口部は透光部材が嵌め込まれ、さらに、スイッチ部材とともにその透光部材も移動することで、スイッチ動作時においても、光源部と指との距離およびイメージセンサ部と指との距離が保たれて、より精度の高い指の光学的イメージを読み取ることができる。また、開口部からゴミが侵入するのを防止することができる。
【００１０】
本発明に係る電子機器によれば、スイッチ部材に設けられた開口部に対象物を接触させるだけで、光源部から発せられた光に照らされた対象物によって反射した光がイメージセンサ部によって受光されて対象物の光学的イメージが読み取られ、制御部により対象物の移動量が算出されて、この対象物の移動量に基づいて表示部の表示するポインタを移動させる。そして、必要とする情報にポインタを合せた後にスイッチ部材を移動させることで、その情報を選択することができて操作性が大幅に向上する。しかも、反射された光を透過する開口部は透光部材が嵌め込まれ、さらに、スイッチ部材とともにその透光部材も移動することで、スイッチ動作時においても、光源部と指との距離およびイメージセンサ部と指との距離が保たれて、より精度の高い指の光学的イメージを読み取ることができる。また、開口部からゴミが侵入するのを防止することができる。
【発明を実施するための最良の形態】
【００１１】
実施の形態１
本発明の実施の形態１に係るポインティングデバイス装置として小型携帯端末機について説明する。ここでは、指先の移動量を検出する光学センサを利用した小型携帯端末機について説明する。図１に示すように、小型携帯端末機１の正面にはさまざまの情報を表示するＬＣＤ（Liquid Crystal Display）３が設けられている。そのＬＣＤ３の下方に指先の光学的イメージを読取る光学センサ４が設けられている。
【００１２】
図２に示すように、その光学センサ４は、携帯端末機１のパネルに設けられたセンサ窓８に向かって所定の光を発する光源４４ａ、センサ窓８に接触する指３０によって反射された光を集光するレンズ４４ｂおよび集光した光を検出するイメージセンサ４４ｃを有している。
【００１３】
次に、小型携帯端末機の回路構成について説明する。図３に示すように、ＬＣＤ３においてポインタによって指示入力される情報はＣＰＵ（Central Processing Unit）１０に入力される。ＣＰＵ１０は入力された情報に基づいてＬＣＤインターフェイス１６を制御することにより各種の情報をＬＣＤ３に表示する。
【００１４】
また、ＣＰＵ１０はＲＯＭ（Read Only Memory）１１に記憶されたプログラムに基づいてＲＡＭ（Random Access Memory）１２に所定の情報を記憶させる。
【００１５】
次に、ポインティングデバイス装置の操作方法について説明する。まず、ＬＣＤ３に表示されたメニューの中から必要とするメニューにポインタを合わせるために、センサ窓８に指３０を接触させながら指３０を移動させる。イメージセンサ４４ｃによって検出される指の光学的イメージは、イメージセンサインターフェイス１８を介してＣＰＵ１０に送られ、たとえば指３０の移動方向や移動距離が求められる。
【００１６】
ＣＰＵ１０は、求められた指の移動方向や移動距離に基づき、ＬＣＤインターフェイス１６を介してＬＣＤ３に表示されるポインタを移動させる。ポインタが必要とする情報を指した状態で適当な入力キー（図示せず）を押して、その情報を選択する。これにより、その情報がＬＣＤ３上に表示される。
【００１７】
特に、このポインティングデバイス装置では、光学センサ４のイメージセンサ４４ｃによって読取られる指の光学的イメージに基づいて、指３０の移動方向や移動距離が求められる。指３０の皮膚の表面には微細な凹凸があり、また色も微妙に異なる。指３０が移動することで、センサ窓８に現れるこのような皮膚の凹凸の状態や色の状態が変化するため、その指３０に反射して検出される光のイメージもこれに伴って変化する。そして、イメージセンサ４４ｃによって連続的に検出されたイメージをＣＰＵ１０において処理することで、指３０の移動方向や移動距離が求められる。
【００１８】
このような光学センサ４としては、たとえばAgilent Technologies社の“Solid-State Optical Mouse Sensor with PS/2 and Quadrature Output”, Applicatin Note 1179、または、“Agilent HDNS-2000 Optical Mouse Sensor“,Product Brief.に記載されているマウスに装着された光学センサを適用することが可能である。
【００１９】
上述したポインティングデバイス装置では、従来の携帯端末機のように、トラックボールを扱うことなく、センサ窓８に指を接触させて動かすことでＬＣＤ３上のポインタを必要とするメニューに合わせることができる。
【００２０】
これにより、指１本でポインタを移動させることができるため操作性が向上する。また、ある程度の大きさが必要とされるトラックボールに比べて、光学センサの光学系を比較的容易に小さくすることができ、ポインティングデバイス装置の小型化を容易に図ることができる。
【００２１】
さらに、トラックボールの場合に比べてゴミの侵入も少なくなるとともに、機械的な動作が要求される部分がなくなるため、メンテナンス等が少なくなって扱いが容易になる。
【００２２】
実施の形態２
本発明の実施の形態２に係る小型携帯端末機について説明する。図４および図５に示すように、この小型携帯端末機では、光学センサ４は押しボタンスイッチ２３の中に設けられている。押しボタンスイッチ２３の中央付近にセンサ窓８が設けられている。押しボタンスイッチ２３の押しボタン本体２３ｃの中に、指先の移動量を検出するための光学センサ４を構成する光源４４ａ、レンズ４４ｂおよびイメージセンサ４４ｃがそれぞれ配置されている。
【００２３】
また、押しボタンスイッチ２３にはバネ２３ｂが装着され、このバネ２３ｂの弾性力に抗して押しボタンスイッチ２３を押込むことで、２つの端子２３ａ間が電気的に接続されることになる。指３０を離すとバネ２３ｂの弾性力により押しボタンスイッチ２３は当初の位置に戻って、２つの端子２３ａ間が電気的に遮断されることになる。
【００２４】
次に、小型携帯端末機の回路構成について説明する。図６に示すように、この小型携帯端末機では、前述した小型携帯端末機の回路構成に加えて、押しボタンスイッチ２３および押しボタンスイッチ入力インターフェイス１９を備えている。押しボタンスイッチ２３によってＯＮ／ＯＦＦされる信号は、押しボタンスイッチ入力インターフェイス１９を介してＣＰＵ１０に入力される。なお、これ以外の回路構成については図３に示す回路構成と同様なので、同一部分には同一符号を付してその説明を省略する。
【００２５】
次に、この小型携帯端末機の操作方法について説明する。まず、前述したように、センサ窓８に指３０を接触させながら指３０を動かすことで、ＬＣＤ３に表示された情報の中から必要とする情報にポインタを合わせる。
【００２６】
このとき、ＣＰＵ１０では、指３０の動きに伴ってイメージセンサ４４ｃによって読取られる光学的イメージに基づいて、指３０の移動方向や移動距離が求められる。ＣＰＵ１０は求められた指の移動方向や移動距離に基づき、ＬＣＤインターフェイス１６を介してＬＣＤ３に表示されるポインタを移動させる。
【００２７】
ポインタが必要とする情報を指した状態で押しボタンスイッチ２３を指で押し込むことでその情報が選択されて、その内容がＬＣＤ３に表示される。
【００２８】
上述した小型携帯端末機では、実施の形態１において説明した小型携帯端末機について得られる効果に加えて、次のような効果が得られる。すなわち、ポインタを必要とする情報に合わせた後に光学センサ４を収容した押しボタン２３を同じ指で押すことによってその情報が設定されるため、指１本で必要とする情報にアクセスすることができ、小型携帯端末機の操作性が大幅に向上する。
【００２９】
実施の形態３
本発明の実施の形態３に係る小型携帯端末機について説明する。図７および図８に示すように、この小型携帯端末機では、センサ窓８に所定の接触センサ２４が装着され、指３０がこの接触センサ２４に触れている間だけ光学センサ４の光源４４ａおよびイメージセンサ４４ｃに通電が行われる。
【００３０】
次に、小型携帯端末機の回路構成について説明する。図９に示すように、この小型携帯端末機では、前述した小型携帯端末機の回路構成（図３参照）に加えて、接触センサ２４、接触センサ検出回路２０および光源４４ａの通電を制御する光源ＯＮ／ＯＦＦインターフェイス２５を備えている。
【００３１】
接触センサ２４によって指先がセンサ窓８に接触しているか接触していないかの情報が接触センサ検出回路２０を介してＣＰＵ１０に入力される。指先がセンサ窓８に接触している場合には、ＣＰＵ１０により光源ＯＮ／ＯＦＦインターフェイス２５を介して光源４４ａへ通電が行われる。また、イメージセンサインターフェイス１８を介してイメージセンサ４４ｃへの通電も行われる。
【００３２】
一方、指先がセンサ窓８に接触していない場合には、その情報がＣＰＵ１０に送られて光源４４ａおよびイメージセンサ４４ｃへの通電は行われない。なお、これ以外の回路構成については図３に示す回路構成と同様なので、同一部分には同一符号を付してその説明を省略する。
【００３３】
次に、小型携帯端末機の操作方法について説明する。まず、センサ窓８に設けられた接触センサ２４に指先を接触させることで、光学センサ４の光源４４ａおよびイメージセンサ４４ｃへの通電が行われる。そして、前述したように、指３０を接触させながら指３０を動かすことで、ＬＣＤ３に表示された情報の中から必要とする情報にポインタを合わせる。
【００３４】
このとき、イメージセンサ４４ｃによって読取られた指の光学的イメージに基づいてＣＰＵ１０により指３０の移動方向や移動距離が求めらる。ＣＰＵ１０は求められた指の移動方向や移動距離に基づいて、ＬＣＤインターフェイス１６を介してＬＣＤ３に表示されたポインタを移動させる。
【００３５】
上述した小型携帯端末機では、実施の形態１において説明した小型携帯端末機について得られる効果に加えて、次のような効果が得られる。すなわち、指の光学的イメージを読取る光学センサ４の光源４４ａおよびイメージセンサ４４ｃへの通電が、接触センサ２４に指先が接触している間だけ行われる。これにより、小型携帯端末機の操作が行われていない間では光源４４ａおよびイメージセンサ４４ｃには通電されないため、消費電力を低減することができる。
【００３６】
実施の形態４
本発明の実施の形態４に係る小型携帯端末機について説明する。この小型携帯端末機では、携帯端末機に設けられた任意のキー操作により、たとえばＬＣＤを後方から照らすバックライト、光源４４ａおよびイメージセンサ４４ｃへ通電が開始され、そして、一定時間操作が行われないとその通電が遮断される省電力処理が行われる。
【００３７】
次に、小型携帯端末機の回路構成について説明する。図１０に示すように、この小型携帯端末機では、前述した小型携帯端末機の回路構成（図３参照）に加えて、押しボタンスイッチ２３、押しボタンスイッチ入力インターフェイス１９および光源４４ａの通電を制御する光源ＯＮ／ＯＦＦインターフェイス２５を備えている。なお、これ以外の回路構成については図３に示す回路構成と同様なので、同一部分には同一符号を付してその説明を省略する。
【００３８】
任意の押しボタンスイッチ２３によって入力される信号は、押しボタンスイッチ入力インターフェイス１９を介してＣＰＵ１０に入力される。ＣＰＵ１０では、任意の押しボタンスイッチ２３が押されたことを認識した時点で、ＣＰＵ１０により光源ＯＮ／ＯＦＦインターフェイス２５を介して光源４４ａへ通電が開始される。また、イメージセンサインターフェイス１８を介してイメージセンサ４４ｃへの通電も開始される。さらに、ＬＣＤインターフェイス１６を介してバックライト９への通電も開始される。
【００３９】
一方、小型携帯端末の操作が一定時間行われないと、光源４４ａ、イメージセンサ４４ｃおよびバックライト９への通電が遮断される。
【００４０】
次に、このような省電力処理フローの一例について説明する。図１１に示すように、ステップＳ１において、任意の押しボタンスイッチが押されることにより、ステップＳ２、Ｓ３、Ｓ４において、バックライト９、イメージセンサ４４ｃおよび光源４４ａへの通電がそれぞれ開始される。そして、ステップＳ５においてタイマーが作動する。その後、小型携帯端末機の操作が行われるごとにタイマーが初期化されることになる。
【００４１】
しかしながら、小型携帯端末機の操作が行われずに一定時間が経過すると、ステップＳ６、Ｓ７、Ｓ８において、バックライト９、イメージセンサ４４ｃおよび光源４４ａへの通電がそれぞれ遮断される。
【００４２】
その後、任意の押しボタンスイッチが押されることで通電が開始されて、上述したフローが再び実行されることになる。このようにして、小型形態端末機の操作が実質的に行われる間だけバックライト９、イメージセンサ４４ｃおよび光源４４ａへの通電が行われ、操作が行われないときには、これらの通電が遮断される。その結果、小型形態端末機の省電力化を図ることができて、より長時間の使用が可能になる。
【００４３】
実施の形態５
本発明の実施の形態５に係る小型携帯端末機について説明する。この小型携帯端末機１では、図１２に示すように、ＬＣＤ３に文字等を入力するためのキーボード（ソフトキーボード）３ｂとポインタ５が表示される。したがって、携帯端末機には、特に機械式のキーボードは設けられていない。
【００４４】
また、ＬＣＤ３の下方には、前述した押しボタンスイッチ２３および光学センサ４が設けられている。光学センサ４は押しボタンスイッチ２３の中に設けられている（図５参照）。
【００４５】
次に、この小型携帯端末機の操作の一例として、メッセージを送る場合の文字入力の仕方について説明する。まず、小型携帯端末機１のＬＣＤ３において、文字を入力する前の初期画面が図１３に示す状態であるとする。すなわち、ＬＣＤ３には、ソフトキーボード３ｂとポインタ５が示され、入力文字表示フィールド３ａの上方に「Enter Message」が表示されている。
【００４６】
次に、入力する文字を「Ｈｅｌｌｏ」として、まず、文字「Ｈ」を入力する。このとき、図１４に示すように、光学センサ４に指先を接触させながら動かすことでポインタ５を移動させて、ソフトキーボード３ｂの「Ｈ」を指すようにポインタ５を合わせる。ポインタ５が「Ｈ」を指した状態で指先で押しボタンスイッチ２３を押して「Ｈ」を選択する。これにより、入力文字表示フィールド３ａには文字「Ｈ」が表示される。
【００４７】
以下同様にして、ソフトキーボード３ｂの文字を順次選択することで、図１５に示すように、入力文字表示フィールド３ａには文字「Ｈｅｌｌｏ」が表示される。このようにして入力された文字「Ｈｅｌｌｏ」を、たとえばメールとして発信することができる。
【００４８】
上述した小型携帯端末機では、ＬＣＤ３に表示されたソフトキーボード３ｂにポインタ５を合わせることで必要な文字等を入力することができる。このとき、指先を光学センサ４に接触させながら動かすことでポインタを合わせることができるともに、ポインタが示す文字等を指先で押しボタンスイッチを押すことにより選択することができ、指先１本で入力操作を簡単に行うことができる。
【００４９】
また、この小型携帯端末機では、機械式のキーボードを設ける必要がないため、たとえばキーボードの接触不良等の機械的な動作不良を排除することができ、メンテナンスの必要性も少なくなる。
【００５０】
実施の形態６
本発明の実施の形態６に係る小型携帯端末機として、前述した光学センサを組込んだ携帯電話機について説明する。この携帯電話機１では、図１６に示すように、上部にはスピーカ２、中央付近にはＬＣＤ３、下部にはマイク７、そして上端にはアンテナ６がそれぞれ設けられている。
【００５１】
ＬＣＤ３には、数字あるいは文字等を入力するためのキーボード（ソフトキーボード）３ｃとポインタ５が表示される。したがって、携帯電話機には、特に機械式のキーボードは設けられていない。
【００５２】
また、ＬＣＤ３の下方には、押しボタンスイッチ２３および光学センサ４が設けられている。光学センサ４は押しボタンスイッチ２３の中に設けられている（図５参照）。
【００５３】
次に、携帯電話機の回路構成について説明する。図１７に示すように、この携帯電話機は、前述した小型携帯端末機の回路構成（図６参照）に加えて、ＥＥＰＲＯＭ（Electrically Erasable and Programable Read Only Memory）１３、音声インターフェイス１５、スピーカ２、マイク７、通信インターフェイス１４および無線通信部を有している。また、携帯電話機にはＬＣＤ３を後方から照らすバックライト９が設けられている。
【００５４】
ＣＰＵ１０はＲＯＭ１１に記憶されたプログラムに基づいてＲＡＭ１２に所定の情報を記憶させたり、ＥＥＰＲＯＭ１３にたとえば電話番号リストや発信履歴等の所定の情報を記憶させる。
【００５５】
無線通信部２０は通信インターフェイス１４を介したＣＰＵ１０の制御により、アンテナ２２を介して制御信号を送出して所定の発信呼出処理や着信処理を行う。また、無線通信部２０は、ＣＰＵ１０の制御によりマイク７から入力される音声信号に音声インターフェイス１５を介して所定の信号処理を施して送信し、受信信号に所定の信号処理を施してスピーカ２に出力する。さらに、ＣＰＵ１０の制御により、ＬＣＤインターフェイス１６を介してバックライト９への通電が行われる。
【００５６】
なお、これ以外の回路構成については図６に示す回路構成と実質的に同様なので、同一部分には同一符号を付してその説明を省略する。
【００５７】
次の、この携帯電話機の基本操作は前述した小型携帯機（図１２参照）の操作方法と実質的に同じである。したがって、図１６に示すＬＣＤ３において、電話をかける場合、光学センサ４に指先を接触させながら動かすことでポインタ５を移動させて、ポインタ５が相手先の電話番号の最初の数字を指すように合わせる。次に、ポインタ５が最初の数字を指した状態で指先で押しボタンスイッチ２３を押してその数字を選択する。
【００５８】
以下同様にして、電話番号の数字を順次選択する。これにより、相手先の電話番号のすべてが入力されて発信が開始され、相手の電話機と繋がることで相手との通話が可能になる。
【００５９】
上述した携帯電話機では、ＬＣＤ３に表示されたソフトキーボード３ｂにポインタ５を合わせることで必要な数字等を入力することができる。このとき、指先を光学センサ４に接触させながら動かすことでポインタを合わせることができるともに、ポインタが示す数字等を指先で押しボタンスイッチを押すことにより選択することができ、指先１本で電話番号入力操作を簡単に行うことができる。
【００６０】
また、この携帯電話機では、機械式のキーボードを設ける必要がないため、たとえばキーボードの接触不良等の機械的な動作不良を排除することができ、メンテナンスの必要性も少なくなる。
【００６１】
実施の形態７
本発明の実施の形態７に係る小型携帯端末機について説明する。ここでは、特に前述した小型携帯端末機に用いられる光学センサ部分の変形例（バリエーション）について説明する。
【００６２】
まず、一例として図１８に示すように、小型携帯端末機に設けられたセンサ窓８にはカバーガラス３１が嵌め込まれている。光源４４ａから発せられた光はカバーガラス３１を透過して指３０の表面にて反射され、反射した光は再びカバーガラス３１を透過しレンズ４４ｂを経てイメージセンサ４４ｃに入射する。
【００６３】
この小型携帯端末機では、実施の形態１において説明した効果に加えて次のような効果が得られる。すなわち、このようなカバーガラス３１をセンサ窓８に装着することで、指が動いている状態でも指先の表面がカバーガラス３１の表面上に位置することになり、光源４４ａと指との距離および指とイメージセンサ４４ｃの距離の変動がなくなる。
【００６４】
その結果、指に照射されて反射した光が安定してイメージセンサ４４ｃに入射し、より精度の高い指の光学的イメージを検出することができる。また、カバーガラス３１をセンサ窓８に嵌め込むことで、センサ窓８からゴミが侵入するのを確実に阻止することもできる。
【００６５】
次に他の例として、図１９に示す小型携帯端末機では、前述したカバーガラス３１とレンズ４４ｃとが一体的に形成されたカバーガラス一体型レンズ３２がセンサ窓８に嵌め込まれている。
【００６６】
このようなカバーガラス一体型レンズ３２をセンサ窓８に装着することで、カバーガラスとレンズとが別体である場合と比べると、光学センサ４の組み込みが容易になり、光学系の光軸のずれも抑えることができる。しかも、センサ窓８からのゴミの侵入も防止することができる。
【００６７】
今回開示された実施の形態はすべての点で例示であって、制限的なものではないと考えられるべきである。本発明は上記の説明ではなくて特許請求の範囲によって示され、特許請求の範囲と均等の意味および範囲内でのすべての変更が含まれることが意図される。
【図面の簡単な説明】
【００６８】
【図１】本発明の実施の形態１に係る小型携帯端末機の一平面図である。
【図２】同実施の形態において、小型携帯端末機の操作を説明するための光学センサ部分の部分断面図である。
【図３】同実施の形態において、小型携帯端末機の回路構成を示すブロック図である。
【図４】本発明の実施の形態２に係る小型携帯端末機の部分斜視図である。
【図５】同実施の形態において、小型携帯端末機の操作を説明するための光学センサ部分の部分断面図である。
【図６】同実施の形態において、小型携帯端末機の回路構成を示すブロック図である。
【図７】本発明の実施の形態３に係る小型携帯端末機の一正面図である。
【図８】同実施の形態において、小型携帯端末機の操作を説明するための光学センサ部分の部分断面図である。
【図９】同実施の形態において、小型携帯端末機の回路構成を示すブロック図である。
【図１０】本発明の実施の形態４に係る小型携帯端末機の回路構成を示すブロック図である。
【図１１】同実施の形態において、省電力処理を行うための処理フローを示す図である。
【図１２】本発明の実施の形態５に係る小型携帯端末機の一正面図である。
【図１３】同実施の形態において、小型携帯端末機の操作方法を説明するためのＬＣＤの画面を示す第１の図である。
【図１４】同実施の形態において、小型携帯端末機の操作方法を説明するためのＬＣＤの画面を示す第２の図である。
【図１５】同実施の形態において、小型携帯端末機の操作方法を説明するためのＬＣＤの画面を示す第３の図である。
【図１６】本発明の実施の形態６に係る携帯電話機の一正面図である。
【図１７】同実施の形態において、携帯電話機の回路構成を示すブロック図である。
【図１８】本発明の実施の形態７に係る小型携帯端末機のセンサ部分を示す一断面図である。
【図１９】同実施の形態において、小型携帯端末機のセンサ部分を示す他の断面図である。
【図２０】従来の小型携帯端末機の一斜視図である。
【符号の説明】
【００６９】
１  小型携帯端末機、２  スピーカ、３  ＬＣＤ、３ａ  入力表示フィールド、３ｂ  ソフトキーボード、３ｃ  数字キー、４  光学センサ、５  ポインタ、６  アンテナ、７  マイク、８  センサ窓、９  バックライト、１０  ＣＰＵ、１１  ＲＯＭ、１２  ＲＡＭ、１３  ＥＥＰＲＯＭ、１４  通信インターフェイス、１５  音声インターフェイス、１６  ＬＣＤインターフェイス、１８  イメージセンサインターフェイス、１９  押しボタンスイッチ入力インターフェイス、２０  接触センサ検出回路、２１  無線通信部、２３  押しボタンスイッチ、２３ａ、２３ｂ  接触端子、２３ｃ  バネ、２４  接触スイッチ、２５  光学ＯＮ／ＯＦＦインターフェイス、３１  カバーガラス、３２  カバーガラス一体型レンズ、４４ａ  光源、４４ｂ  レンズ、４４ｃ  イメージセンサ。
【図１】
0004498345.tif 000002
【図２】
0004498345.tif 000003
【図３】
0004498345.tif 000004
【図４】
0004498345.tif 000005
【図５】
0004498345.tif 000006
【図６】
0004498345.tif 000007
【図７】
0004498345.tif 000008
【図８】
0004498345.tif 000009
【図９】
0004498345.tif 000010
【図１０】
0004498345.tif 000011
【図１１】
0004498345.tif 000012
【図１２】
0004498345.tif 000013
【図１３】
0004498345.tif 000014
【図１４】
0004498345.tif 000015
【図１５】
0004498345.tif 000016
【図１６】
0004498345.tif 000017
【図１７】
0004498345.tif 000018
【図１８】
0004498345.tif 000019
【図１９】
0004498345.tif 000020
【図２０】
0004498345.tif 000021